(57)【要約】【課題】  機器本体の前面下部に設けられる受皿に発光素子を設け、この発光素子の照射先を前面上部の利用者の視界に向けることにより、取引利用するときの入力操作や取引案内の表示に気を取られている利用者に受皿の位置を光で明瞭に知らせて、利用者の媒体取出し意識を高めさせて媒体の取忘れを防止する。【解決手段】  機器本体の前面上部に設けられた受付部の受付け操作に基づいて前面下部に設けられた受皿に媒体を払い出す媒体払出機器であって、前記前面下部の受皿から、前記機器本体の前面に対応した利用者が光を感じとる視界に向けて光を発光させる発光手段を備えて構築する。【選択図】  図１５
2005332096.tif 000002
【特許請求の範囲】
【請求項１】
機器本体の前面上部に設けられた受付部の受付け操作に基づいて前面下部に設けられた受皿に媒体を払い出す媒体払出機器であって、
前記前面下部の受皿から、前記機器本体の前面に対応した利用者が光を感じとる視界に向けて光を発光させる発光手段を備えた媒体払出機器。
【請求項２】
発光手段は受皿の裏面側に発光素子を配設し、該受皿の裏面側より表面側に光を透過させて発光させる請求項１記載の媒体払出機器。
【請求項３】
発光手段は複数の発光素子を特定の発光形状に組合せて受皿の裏面側に分散配置した請求項１または２記載の媒体払出機器。
【請求項４】
発光手段は受皿に払い出される媒体の溜り部をよけて配設した請求項１〜３記載のいずれかの媒体払出機器。
【請求項５】
発光手段は発光素子を搭載した基板の色と、該発光素子の発光を透過許容する半透明の受皿の色とを同色にした請求項１〜４記載のいずれかの媒体払出機器。
【請求項６】
発光手段は媒体を受皿に払い出す前に予告発光させる制御手段を備えた請求項１〜５記載のいずれかの媒体払出機器。
【請求項７】
発光手段は発光による認識性を高める発光周期タイミングで発光させる制御手段を備えた請求項１〜６記載のいずれかの媒体払出機器。
【請求項８】
発光手段は媒体の払い出しに応じた発光開始タイミングおよび払い出し終了に応じた発光終了タイミングを制御する制御手段を備えた請求項１〜７記載のいずれかの媒体払出機器。
【請求項９】
受皿は素材の色を、発光素子の発光を透過許容する半透明の乳白色にした請求項１〜８記載のいずれかの媒体払出機器。
【請求項１０】
受皿は外表面を微細な凹凸表面を形成するシボ加工を施した請求項１〜９記載のいずれかの媒体払出機器。
【請求項１１】
媒体の払い出し時に媒体の取出しを音声案内する音声案内手段を備えた請求項１〜１０記載のいずれかの媒体払出機器。
【発明の詳細な説明】
【技術分野】
【０００１】
この発明は、自動販売機、自動精算機および両替機に備えられるような受皿の認識性を高めた媒体払出機器に関し、さらに詳しくは受皿に払い出された媒体の取忘れを光により効果的に解消させる媒体払出機器に関する。
【背景技術】
【０００２】
一般に、この種の媒体払出機器にあっては、機器本体の前面上部に接客操作部として、貨幣投入口や選択ボタンなどを有し、機器本体の前面下部に受皿や返却口を有している。そして、利用者が取引操作を行った取引結果として、受皿に例えば遊技利用されるＩＣコイン、メダルなどの媒体が払い出される。
【０００３】
ところが、現状では利用者が取引利用するときの入力操作や取引案内の表示に気を取られ、受皿に払い出された媒体を取忘れることがあった。それゆえ、媒体の取忘れを考慮して受皿を照射することで媒体の存在を強調するなどの対策が講じられている。
【０００４】
例えば、特許文献１に開示されるものでは、蛍光材料にて作成した硬貨受皿を側面からある時間だけ照射して受皿自体を発光させることにより、利用者の認識性を高めて媒体の取忘れを抑制している。
【０００５】
しかし、受皿の設置場所は通常、機器本体の前面下部に設置されることが多く、このために正面を向いた利用者の視界に受皿が発光する蛍光が視界に入らず、このために媒体の取忘れを生じる恐れがあった。
【０００６】
また、特許文献２に開示されるものでは、媒体取扱口の近傍に設けられた発光素子の点灯時間の間隔を変化させることにより、媒体取扱口に媒体が払い出されたことを利用者に報知して認識させている。
【０００７】
しかし、特許文献１と同様に媒体取扱口の設置場所によっては、光が前面下部で点灯して利用者の視界に入らず、この結果、媒体の取忘れを生じる恐れがあった。
【０００８】
さらに、特許文献３に開示されるものでは、排出口を強調するための光ガイド路を設け、この光ガイド路に沿って順に点灯することにより利用者に媒体を払い出したときの排出口の認識性を高めている。
【０００９】
しかし、操作部、表示部からスタートする始めの光ガイド路の発光部分を、利用者が例えば紙幣の挿入操作などに気を取られて見ていなかった場合、その後、光ガイド路の発光は排出口の近傍で点灯するのみとなり、利用者の視界は前面下部の排出口まで行き届かないため光が利用者の視界に入らず、この結果、媒体の取忘れを生じる恐れがあった。また、媒体の取忘れ防止手段としての発光位置を異ならせる独特の光ガイド路を作成するために複雑で簡単に構築できない問題を有していた。
【００１０】
【特許文献１】実開平５−８６８８号
【特許文献２】特開２００１−２７３５３７号
【特許文献３】特許第３４３６２８２号
【発明の開示】
【発明が解決しようとする課題】
【００１１】
そこでこの発明は、機器本体の前面下部に設けられる受皿に発光素子を設け、この発光素子の照射先を前面上部の利用者の視界に向けることにより、取引利用するときの入力操作や取引案内の表示に気を取られている利用者に受皿の位置を光で明瞭に知らせて利用者の媒体取出し意識を高めさせて、媒体の取忘れを防止する媒体払出機器を提供することを目的とする。
【課題を解決するための手段】
【００１２】
この発明は、機器本体の前面上部に設けられた受付部の受付け操作に基づいて前面下部に設けられた受皿に媒体を払い出す媒体払出機器であって、前記前面下部の受皿から、前記機器本体の前面に対応した利用者が光を感じとる視界に向けて光を発光させる発光手段を備えたことを特徴とする。
【００１３】
ここで受付部とは、利用者が取引利用する紙幣や硬貨などの流通貨幣およびＩＣコインを受付けるものであって、このほかにも磁気カード、ＩＣカードなどの有価情報が付与された取引媒体を受付けることができる。例えば、硬貨、ＩＣコインなどのコインを受付ける場合は共通するコイン投入口を設ければよく、紙幣を受付ける場合は紙幣挿入口を設ければよく、カードを受付ける場合はカード挿入口を設ければよい。さらに、金融情報を受付ける場合は、暗証番号を入力操作させるテンキーなどを設ければよく、任意の取引媒体を受付けるように設定することができる。
【００１４】
前記媒体は、例えば受皿に払い出される釣銭、メダル、ＩＣコインなどのコインを用いて構成することができる。  
前記発光手段は、例えば高輝度発光ダイオードのような発光素子を用いて構成することができる。
【００１５】
この発明によると、機器本体の前面下部に位置する受皿から発光した光は、機器本体の前面に対応した利用者が光を感じとる前面上部の視界に向けて光を発光させるため、利用者が取引操作するために機器本体の前面に近づいて前面上部の操作面を見ていても、下方の受皿からの光を自然に知覚することができる。このため、機器本体の前面上部で先に取引操作する利用者に対し、後で媒体を受取る前面下部の受皿の位置を光により知らせて、利用者の媒体取出し意識を高めさせることができ、この結果、受皿に払い出された媒体の取忘れを効果的に解消することができる。
【００１６】
この発明の別の構成では、受皿の裏面側に発光素子を配設し、該受皿の裏面側より表面側に光を透過させて発光させる発光手段を備えて構成することができる。  
この発明によると、受皿の裏面側から受皿の表面側に向けて光を透過させて発光させるため、受皿自体を発光させることができる。ことに、発光素子の発光は直接光ではなく、受皿を透過させて間接的な光を照射するため、受皿を光り輝かせる独特の光を放させることができる。このため、利用者に対しては受皿の存在感および認識を一層高めることができる。
【００１７】
前記発光素子の配設位置は受皿の裏面に直接取付けてもよく、透過光量を抑えるために受皿の裏面より少し離して取付けてもよい。さらに、受皿の裏面と発光素子との距離を調節できるように構成すれば、透過光量の度合いを段階的に変更することができる。
【００１８】
この発明の別の構成では、受皿の裏面側に、複数の発光素子を特定の発光形状に分散配置して発光手段を構成することができる。  
この発明によると、複数の発光素子を受皿の発光要素に用い、特に複数の発光素子を分散配置することにより、個々の発光素子の発光位置や発光方向を異ならせることができるため発光素子の照射領域を広げることができる。このため、利用者によっては視界が高さ方向に様々に異なるが、このような場合にも各人が光を感じとれる広域の照射領域に照射させることができる。さらに、複数の発光素子を特定の発光形状に配置して発光させることができるため、受皿の表面には、媒体の払い出しを示唆する表示案内を光により強調して表現することができる。例えば、矢印形状、三角形状などの媒体の払い出しを表すのに適した特有の形状に発光させて表示案内することができる。
【００１９】
この発明の別の構成では、受皿に払い出される媒体の溜り部をよけた位置に発光手段を配設して構成することができる。  
この発明によると、受皿に払い出された媒体の溜り部と溜り部をよけて配設した発光手段の発光位置とは重ならないため、媒体を受皿に払い出しても発光手段の光源は塞がれる心配はない。このため、常に利用者が光を感じとる視界に向けて発光手段の光を照射させることができ、利用者に受皿の認識を高めさせる報知案内用としての発光を確保することができる。
【００２０】
この発明の別の構成では、発光素子を搭載した基板の色と、該発光素子の発光を透過許容する半透明の受皿の色とを同色にした発光手段を備えて構成することができる。
【００２１】
この発明によると、発光素子を搭載した基板の色と、受皿の色とを同色にしているため、発光待機状態では利用者が受皿を表面側から見ても、受皿の裏面側に配設されている発光素子は見えない。このため、受皿からの発光前と発光後とでは受皿を透過させた光の変化が大きく異なり、この発光前後での光の変化を強調することができる。この光の変化を知覚する利用者は媒体を払い出す前と払い出した後とが明瞭に分る。
【００２２】
前記受皿の半透明に際しては、半透明にすることにより発光素子の発光を適度に透過させるものであって、それゆえ光を透過および拡散する材料が適している。例えば、光拡散グレード材または半透明材を用いればよい。
【００２３】
この発明の別の構成では、媒体を受皿に払い出す前に発光手段により予告発光させる制御手段を備えて構成することができる。  
この発明によると、媒体を受皿に払い出す前に事前に点灯または点滅などによって強調した予告発光を行うことにより、媒体の払い出しを事前に予告することができる。このため、取引利用する利用者には事前に受皿に注意を促がして受皿の認識を高めさせることができる。この結果、利用者に対する媒体の取出し意識を確実に高めさせて媒体の取忘れを解消させることができる。
【００２４】
この発明の別の構成では、発光による受皿の認識性を高める発光周期タイミングで発光手段を発光させる制御手段を備えて構成することができる。  
この発明によると、発光手段の発光周期タイミングを変えて様々の形態に発光させることができるため、受皿からの利用者に対する認識を確実に高めることができる。このため、受皿に払い出された媒体の取出しを効率よく強調することができる。
【００２５】
この発明の別の構成では、媒体の払い出しに応じた発光手段の発光開始タイミングおよび媒体の払い出し終了に応じた発光手段の発光終了タイミングを制御する制御手段を備えて構成することができる。
【００２６】
この発明によると、受皿に媒体が払い出されることに伴って、点灯・点滅など発光開始の合図を行わせて利用者に媒体の払い出しが開始されたことを確認させることができる。また、媒体の払い出しが終了することに伴って、点灯・点滅などの発光終了の合図を行わせて利用者に媒体の払い出しが終了したことを確認させることができる。これにより、利用者は媒体の払出状態を明確に把握することができる。このほか、取引途中においても発光制御すれば、取引操作している間、発光中であることを表す発光情報が得られるため、この発光情報を終始確認できる。さらに、全体の媒体払出時間および媒体を取出す時間に合せて発光制御したり、発光時間を一定時間に設定することもできる。
【００２７】
この発明の別の構成では、受皿の素材の色を、発光素子の発光を透過許容する半透明の乳白色にして構成することができる。  
この発明によると、受皿の色を発光素子の発光を透過許容する半透明の乳白色にしているため、発光待機状態では受皿の上面側からは受皿の裏面側の発光素子は見えない。一方、発光素子を発光させたときは光を拡散させて表面側に発光させる乳白色が光の拡散性と、眩しさを抑制する働きを有して目に優しいので適している。この乳白色の素材としては、例えば光の拡散に適した光拡散グレード材を用いればよい。
【００２８】
この発明の別の構成では、受皿の外表面を微細な凹凸表面を形成するシボ加工を施して構成することができる。  
この発明によると、受皿の外表面をシボ加工することにより、受皿の裏面から光を透過させた際に、光はシボ加工された受皿の外表面全体に拡散され、受皿の全体が独特の光を放つ。このため、受皿の色彩、形状によっては様々な光色が得られる。例えば、受皿を半球形で半透明の乳白色材を用い、さらにその外表面をシボ加工した受皿を用いれば、利用者の視覚に幻想的な眩く美しい光を照射して訴えることができる。
【００２９】
この発明の別の構成では、媒体の払い出し時に媒体の取出しを音声案内する音声案内手段を備えて構成することができる。  
この発明によると、光と音声とを組合せて媒体の取出し、さらには取忘れを報知することができる。このため、利用者は光と音声との両情報の案内を受けて、媒体の取出し意識が十分に高められる。この結果、受皿から媒体を的確に取出すことができ、媒体の取忘れは完全に解消される。
【発明の効果】
【００３０】
この発明によれば、利用者が取引利用したとき、受皿からは利用者の視界に向けて光を発光させて光を知覚させることができるため、受皿に払い出された媒体の取忘れを効果的に解消することができる。また、受皿から利用者に向けて発光させるだけで構築できるため、簡単に媒体の取忘れ防止構造を作成できる。
【実施例】
【００３１】
この発明の一実施例を以下図面に基づいて説明する。  
図面は遊技ホールに設置されるＩＣコイン販売機を示し、図１において、このＩＣコイン販売機１１は縦長に立設された機器本体１２の接客利用される前面上部に、接客表示パネル１３と、取引選択ボタン１４と、コイン投入口１５と、紙幣挿入口１６と、スピーカー１７と、紙幣払出表示ランプ１８と、紙幣払出口１９とを配設し、前面下部に受皿２０を配設している。
【００３２】
このＩＣコイン販売機１１は、有価価値などの情報を記憶するＩＣコインの販売機能だけでなく、ＩＣコインを精算するＩＣコイン精算機能も有しており、処理する形態に応じて切替できる。
【００３３】
このＩＣコイン販売機１１を用いて利用者がＩＣコインを購入するときは、紙幣挿入口１６に紙幣を挿入する。このとき、受付けた紙幣の情報が適正であれば、続いて取引選択ボタン１４を押下操作させる。この押下操作に基づいて取引金額分の情報を記憶するＩＣコインが受皿２０に払い出される。この販売時に釣札がある場合は釣札が紙幣払出口１９に払い出されてＩＣコインの販売は終了する。
【００３４】
また、コイン投入口１５にＩＣコインを投入すると精算機として切替り、そのＩＣコインの有価価値を読み取って精算処理を行い、紙幣は紙幣返却口１９へ、硬貨は受皿２０へ払い出される。
【００３５】
図２はコイン販売機１１の前面に利用者２１が接客対応したときの利用者２１の自然な視界領域２２を表している。この場合、利用者２１の視界領域２２は正面を向いているためコイン販売機１１の前面上部に対応する接客表示パネル１３、取引選択ボタン１４、コイン投入口１５、紙幣挿入口１６、スピーカー１７、紙幣払出表示ランプ１８、紙幣払出口１９を自然に視認することができるのに対し、前面下部の受皿２０は利用者２１の視界領域２２から外れて見られる機会が少ない。
【００３６】
このため、図３に示すように、利用者２１が受皿２０に対する認識を高めるために、前面下部の受皿２０から利用者２１が光を感じとる視界領域２２に向けて斜め上向きに照射させる報知照射光２３を発光させる発光素子２４を受皿２０に取付けている。この斜め上向きに照射させる報知照射光２３を受皿２０に持たせることにより、利用者が機器本体１２の前面に近づいて取引操作する際に前面上部の操作面を見ていても、下方の受皿２０からの報知照射光２３を自然に知覚することができる。
【００３７】
前記発光素子２４としては高輝度発光ダイオードのような微小素子を用い、図４に示すように、発光素子２４を受皿２０の裏面側に配設して、受皿２０の裏面側から表面側に光を透過させて発光させるものである。この場合、発光素子２４は小さな平板状の基板２５に搭載して受皿２０の裏面側に取付けている。従って、受皿２０の裏面側から受皿２０の表面側に向けて光を透過させて発光させるため受皿自体を発光させることができる。ことに、発光素子２４の発光は直接光ではなく、受皿２０を透過させて間接的な光を照射するため、図５(Ａ)に示すように、発光待機状態では受皿２０は発光作用を受けないため、受皿２０の存在感は低く目立たないが、図５(Ｂ)に示すように、発光素子を発光させたときは受皿２０を光り輝かせて受皿２０の存在感を高めて目立たせることができる。
【００３８】
さらに、基板２５には複数の発光素子２４を分散配置させて、個々の発光素子２４の発光位置を異ならせて広域に照射することができるため照射領域を広げることができる。このため、図６に示すように、長身の利用者２１ａと、中背の利用者２１ｂと、短身の利用者２１ｃによっては、これらの利用者２１ａ〜２１ｃの視界が高さ方向に様々に異なるが、このような場合にも分配配置された複数の発光素子２４によって各人が光を感じとれる上下方向に向けて広く照射する報知性に優れた照射領域が得られる。この斜め上向きの報知照射光２３の照射方向は、取引操作するためにＩＣコイン販売機１１の前面に近づいた(例えば４０ｃｍ程度)ほぼ全ての利用者に認識させることができる中背の利用者(例えば１６０ｃｍ程度)の視界高さに設定するのが適している。
【００３９】
さらに、基板２５には複数の小さな発光素子２４を三角形状のように配列して搭載することができる(図４参照)。このため、複数の発光素子２４を発光させたときは、図７に示すように、受皿２０の表面には払い出しの表示案内に適した三角形状の報知照射光２３として発光させることができる。
【００４０】
また、複数の発光素子２４の発光位置は、上面を開放した半球形の受皿２０の中央部底面に払い出されるＩＣコインの溜り部２６をよけた受皿２０の裏面側の位置に発光素子２４を配設している。
【００４１】
一方、受皿２０は両側に突設した取付け板２８を機器本体１２の下部前面にビス等により螺着固定して取付けている。さらに、受皿２０の溜り部２６側は機器本体１２より前面に突出してＩＣコイン２７が取出しやすい受皿２０の前方に設定している。また、報知照射光２３を生じさせる発光素子２４側は受皿２０の奥側に位置させて取付けている。これにより、発光素子２４を発光させたときは機器本体１２の奥方から前方に向けて発光するため、奥方の暗い部分からの発光効果が一層高まる。
【００４２】
さらに、受皿２０は、図９(Ｂ)に示すように、機器本体１２の前面に先下がりに傾斜させて取付けている。これにより、報知照射光２３の発生位置が受皿２０内の表面では高位置となり、溜り部２６は受皿２０内の表面では低位置となる。
【００４３】
このため、図８および図９(Ａ)に示すように、受皿２０に払い出されたＩＣコイン２７の溜り部２６と、溜り部２６をよけて配設した発光素子２４の発光位置とは重ならないため、ＩＣコイン２７を受皿２０に払い出しても発光素子２４の発光は塞がれる心配はない。このため、常に利用者が光を感じとる斜め上方の視界に向けて発光素子２４の光を照射させることができ、利用者に受皿２０の認識を高めさせる報知照射光２３の発光を確保する配置構成を有している。
【００４４】
さらに、発光素子２４を搭載した基板２５の色と、該発光素子２４の発光を透過許容する受皿２０の色とを同じ乳白色にして構成している。これにより、発光待機状態では利用者が受皿２０を表面側から見ても、受皿２０の裏面側に配設されている発光素子２４や基板２５は見えない。このため、受皿２０は発光前と発光後とでは受皿２０を透過させた光の変化が大きく異なり、発光前後での光の変化を強調することができる。
【００４５】
さらに、受皿２０は半透明にして発光素子２４の発光を適度に透過させるものであって、それゆえ光を透過させて拡散させる材料が適している。例えば、ＭＬ−１１０２ＱＦ１２３１等の光拡散グレード材を用いて構成することができる。また、受皿２０の色は発光素子２４を発光させたときに光を拡散させて該受皿２０の表面側の眩しさを抑制する働きを有する乳白色が適している。
【００４６】
さらに、受皿２０は外表面を微細な凹凸表面を有するシボ加工を施すのが適している。このシボ加工を施すことにより、受皿２０の裏面から光を透過させた際に、光はシボ加工された受皿２０の表面側に十分に拡散され、受皿２０の表面が独特の光を放つことになる。さらに、このシボ加工の度合いによっては受皿２０の外表面全体を輝かせることができる。
【００４７】
この結果、受皿２０は半球形で半透明の乳白色を有し、しかもシボ加工を施しているため利用者の視覚に幻想的で眩く美しい光を照射させて訴えることができる。このほか、複数の発光素子２４の発光色を複数異ならせて組合せた場合は、互いの発光色が混ざって色彩豊かな特有の発光色を作り出すことができる。
【００４８】
図１０はＩＣコイン販売機１１の制御回路ブロック図を示し、制御部１０１は紙幣処理部１０２と、硬貨処理部１０３と、ＩＣコイン処理部１０４と、電源部１０５と、既述した接客表示パネル１３と、取引選択ボタン１４と、スピーカー１７と、紙幣払出表示ランプ１８と、発光素子２４とを接続している。そして、制御部１０１に格納されたプログラムに従って各回路装置を制御する。
【００４９】
また、制御部１０１には取引する際に予告発光させる制御機能を持たせている。例えば、ＩＣコイン２７を受皿２０に払い出す前に発光素子２４を点滅させて予告発光する。これにより、ＩＣコイン２７の払い出しを利用者に事前に知らせることができる。このため、取引利用する利用者には事前に受皿２０に注意を促がして、その後に払い出されるＩＣコイン２７の認識を高めさせることができ、ひいてはＩＣコイン２７の取忘れを解消させることができる。この予告発光はＩＣコイン２７だけでなく、釣銭あるいは両替したときに払い出される硬貨にも適用できる。さらに、受皿２０に限らず、紙幣払出口１９にも適用することができ、同様に事前に紙幣払出表示ランプ１８を点滅させることにより予告発光させることができる。
【００５０】
さらに、制御部１０１には受皿２０の認識性を高める発光周期タイミングで発光素子２４を発光させる制御機能を持たせている。この発光制御によると、発光素子２４の発光周期タイミングを例えば周期の速い点滅に変えて強調させることができる。この場合は、受皿２０に対する認識を著しく高めて、受皿２０に払い出されたＩＣコイン２７の取出し意識を確実に強調させることができる。
【００５１】
さらに、制御部１０１にはＩＣコイン２７の払い出しに応じた発光開始タイミングおよびＩＣコイン２７の払い出し終了に応じた発光終了タイミングを制御する機能を持たせている。
【００５２】
この制御によると、受皿２０にＩＣコイン２７が払い出されることに伴って、利用者にＩＣコイン２７の払い出しが開始されたことを予告発光に引続き点灯・点滅などの合図で確認させることができる。また、ＩＣコイン２７の払い出しが終了することに伴って、利用者にＩＣコイン２７の払い出しが終了したことを発光周期の速い点灯・点滅などの合図で確認させることができる。これにより、利用者はＩＣコイン２７の払い出し状態を明確に把握することができる。
【００５３】
また、受皿２０に限らず、紙幣払出口１９にも適用することができ、同様に紙幣払出表示ランプ１８の合図を確認させることができる。
【００５４】
さらに、紙幣の払い出し動作に並行して受皿２０側に例えばＩＣコイン２７の払い出しがあると、払い出されたＩＣコイン２７が受皿２０から取出されることを考慮して紙幣払出口１９の点滅動作が停止した時点から一定時間経過するまで点滅させ、受皿２０での取り忘れを防止させることができる。
【００５５】
図１１は紙幣払出表示ランプ１８の点滅周期と受皿２０の発光素子２４の点滅周期とを比較して示し、このうち受皿２０の発光素子２４の点滅周期は機器本体１２の前面下部に位置して利用者の認識を高める必要があるため、発光周期を速くして強調度合いを高めている。一方、紙幣払出表示ランプ１８は利用者の認識が高いため比較的緩やかな発光周期にて発光させている。
【００５６】
さらに、制御部１０１にはＩＣコイン２７の払い出し時にＩＣコイン２７の取出しをスピーカー１７により音声案内する制御機能を持たせている。この制御によると、発光素子２４による報知照射光２３とブザー音を組合せてＩＣコイン２７の取出しを報知案内し、さらには取忘れを明瞭に報知案内することができる。このため、利用者は光と音との両知覚情報の案内を受けて、ＩＣコイン２７の取出し意識を十分に高めることができる。この取出しの案内はＩＣコイン２７に限らず、払い出される硬貨、紙幣等の全てに適用することができる。また、ブザー音等の出力は発光素子２４の点滅開始から点滅終了までの発光タイミングと同じタイミングで報知出力する。
【００５７】
次に、ＩＣコイン販売機１１の販売動作に伴う予告発光を図１２のフローチャートを参照して説明する。  
今、利用者がＩＣコイン販売機１１の前面に来てＩＣコイン２７を購入する際、先ず、利用者が紙幣挿入口１６に紙幣を挿入する。このとき、受付けた紙幣の情報が適正であれば、受付けた金額分の取引可能な取引選択ボタン１４を点灯させて、利用者に特定の取引選択ボタン１４を押下操作させる(ステップｎ１)。
【００５８】
この取引選択ボタン１４が押下操作されると、接客表示パネル１３には販売額や釣札および釣銭の金額を表示案内する(ステップｎ２)。
【００５９】
一方、制御部１０１は取引選択ボタン１４の押下操作に基づいて取引金額分の情報を記憶させたＩＣコイン２７の払い出し準備と、釣札の払い出し準備を行う(ステップｎ３)。
【００６０】
また、接客表示パネル１３ではＩＣコイン２７、釣札および釣銭を今から払い出すことを表示案内する(ステップｎ４)。
【００６１】
このとき、受皿２０では発光素子２４を点滅させて、受皿２０にＩＣコイン２７が払い出されることを予告発光させて利用者に知らせる(ステップｎ５)。
【００６２】
この発光素子２４の予告発光を開始した後、一定時間(例えば５秒程度)経過すると(ステップｎ６)、次に紙幣払出表示ランプ１８を点滅させて釣札が払い出されたことを予告発光する(ステップｎ７)。
【００６３】
その後、受皿２０にはＩＣコイン２７が払い出される。そして、釣札がある場合は釣札が紙幣払出口１９に払い出される(ステップｎ８)。
【００６４】
受皿２０に払い出されたＩＣコイン２７は、その後、利用者によって取出される。このようにして、ＩＣコイン２７の一販売処理が終了する(ステップｎ９)。
【００６５】
次に、受皿２０および紙幣払出口１９での点滅終了動作を図１３のフローチャートを参照して説明する。  
受皿２０にＩＣコイン２７か硬貨が払い出され、また紙幣払出口１９に釣札が払い出されると、これらが利用者に取出し待機された取出し待機状態にある(ステップｎ１１)。
【００６６】
このとき、紙幣払出口１９から釣札が利用者に取出されたか、否かを内部の図示しない釣札検知センサを介して検知確認しており、釣札が取出されたことを確認すると、釣札の取忘れが生じていないことを確認できる(ステップｎ１２)。
【００６７】
このときは、紙幣の取出しに従って紙幣払出口１９の近傍に設置された紙幣払出表示ランプ１８の点滅動作を停止させる(ステップｎ１３)。
【００６８】
また、紙幣の払い出し動作に並行して受皿２０側に例えばＩＣコイン２７の払い出しがあると、払い出されたＩＣコイン２７が受皿２０から取出されることを考慮して紙幣払出表示ランプ１８の点滅動作が停止した時点から一定時間(例えば５秒程度)経過するまで点滅させる (ステップｎ１４) 。
【００６９】
そして、紙幣払出表示ランプ１８の点滅動作が停止した時点から一定時間経過すると、最後に、受皿２０での発光素子２４の点滅動作を停止させる。これにより、取忘れが発生しやすい受皿２０でのＩＣコイン２７や硬貨の取忘れを解消できる (ステップｎ１５)。
【００７０】
このようにして、ＩＣコイン販売機１１での払出時の発光動作が終了する。その後は、次の取引に備えて発光待機される(ステップｎ１６)。
【００７１】
この実施例ではＩＣコイン２７の販売動作について説明したが、ＩＣコイン２７を精算する場合あるいは高額紙幣を両替する場合も同様に受皿２０および紙幣払出口１９においては発光素子２４と紙幣払出表示ランプ１８とを点滅させて、利用者に認識を高めさせることができる。
【００７２】
ところで、発光素子２４の配設位置は受皿２０の裏面に直接取付ける以外に、透過光量を抑えるために受皿２０の裏面より少し離して取付けてもよい。また、このときは透過光量を段階的に変更できるように受皿２０の裏面を発光基準位置にして、発光素子２４の取付け位置を受皿２０の裏面に遠近調節できるように構成することもできる。
【００７３】
例えば、図１４に示すように、機器本体１２の前面下部に、受皿２０の前部を突出させた状態に該受皿２０を固定設置した場合、この受皿２０の奥部側の下方に、発光素子２４を搭載した基板２５をスライド金具１４１によって保持し、このスライド金具１４１を、逆Ｕ字形の固定片１４２を介して機器本体１２の垂直な前面板１４３の内側に固定している。そして、スライド金具１４１を上下方向にスライド許容して固定片１４２にビス１４４で止めており、スライド金具１４１の取付け位置を上下方向に変えることにより、スライド金具１４１と一体の基板２５および発光素子２４の高さを上下に変えることができる。
【００７４】
そして、図１５に示すように、発光素子２４の発光源としての高さ位置を調節することにより、利用者２１が光を感じとる程度の発光度合いに設定することができる。この際も報知照射光２３を利用者２１の視界領域２２に向けて照射させる。
【００７５】
この発光素子２４の取付け高さは、発光素子２４を受皿２０の裏面側に近づける程、三角形状などの特定の表示を明瞭に表すことができる。逆に、発光素子２４を受皿２０の裏面側より離す程、透過光量を弱めて緩やかに発光させることができる。
【００７６】
さらに、図１６に示すように、複数の発光素子を分散配置する特定形状は既述した三角形状に限らず、受皿２０の溜り部２６に向けて矢視する矢印形状のように設けることもできる。従って、受皿２０の上面を開放した半球形などの円弧形の底面形状およびその大きさ、曲面などによって利用者が知覚するのに適した発光形状であればよい。
【００７７】
上述のように、機器本体の前面下部に設けられる受皿の裏面側に発光素子を設け、この発光素子の照射先を前面上部の利用者の視界に向けることにより、入力操作や取引案内の表示に気を取られている利用者に受皿の存在感を光で明瞭に知らせることができる。この結果、ＩＣコインの取出し意識を高めさせてＩＣコインの取忘れを防止することができる。
【００７８】
この発明の構成と、上述の一実施例の構成との対応において、
この発明の受付部は、実施例の接客表示パネル１３と、取引選択ボタン１４と、コイン投入口１５と、紙幣挿入口１６と、スピーカー１７と、紙幣払出表示ランプ１８と、紙幣払出口１９とに対応し、
以下同様に、
媒体は、ＩＣコイン２７と硬貨に対応し、
媒体払出機器は、ＩＣコイン販売機１１に対応し、
発光手段は、発光素子２４に対応し、
制御手段および音声案内手段は、制御部１０１に対応するも、
この発明は上述の実施例の構成のみに限定されるものではなく、請求項に示される技術思想に基づいて応用することができ、多くの実施例を得ることができる。
【図面の簡単な説明】
【００７９】
【図１】ＩＣコイン販売機を示す外観斜視図。
【図２】利用者の視界を表すＩＣコイン販売機と利用者の側面図。
【図３】利用者の視界と受皿からの報知照射光を示す説明図。
【図４】受皿と基板との取付け前の対応状態を示す斜視図。
【図５】受皿の発光前と発光後を比較して示す斜視図。
【図６】受皿からの報知照射光の照射領域を表す説明図。
【図７】受皿の表面側から見た三角形状の発光例を示す斜視図。
【図８】発光素子の発光位置とＩＣコインの払出位置とを示す斜視図。
【図９】発光素子の発光位置とＩＣコインの払出位置とを示す縦断面図。
【図１０】ＩＣコイン販売機の制御回路ブロック図。
【図１１】紙幣払出表示ランプと受皿の発光素子との点滅周期を比較して示すタイムチャート。
【図１２】払い出しを予告発光するときの処理動作を示すフローチャート。
【図１３】点滅終了のタイミングを表すフローチャート。
【図１４】透過光量を可変調節する構成例を示す要部縦断面図。
【図１５】透過光量を可変許容したときの照射状態を示す側面図。
【図１６】受皿の表面側から見た矢印形状の発光例を示す斜視図。
【符号の説明】
【００８０】
１１…ＩＣコイン販売機
１２…機器本体
２０…受皿
２１，２１ａ，２１ｂ，２１ｃ…利用者
２２…視界領域
２３…報知照射光
２４…発光素子
２５…基板
２６…溜り部
１０１…制御部
【図１】
2005332096.tif 000003
【図２】
2005332096.tif 000004
【図３】
2005332096.tif 000005
【図４】
2005332096.tif 000006
【図５】
2005332096.tif 000007
【図６】
2005332096.tif 000008
【図７】
2005332096.tif 000009
【図８】
2005332096.tif 000010
【図９】
2005332096.tif 000011
【図１０】
2005332096.tif 000012
【図１１】
2005332096.tif 000013
【図１２】
2005332096.tif 000014
【図１３】
2005332096.tif 000015
【図１４】
2005332096.tif 000016
【図１５】
2005332096.tif 000017
【図１６】
2005332096.tif 000018